(57)【要約】【課題】安定した測定を行うことができる酸素拡散係数測定装置を提供する。【解決手段】酸素濃度を検出する酸素濃度検出手段と、多孔体における酸素を消費させる酸素消費手段と、酸素消費手段の酸素消費量を制御する酸素消費量制御手段と、を備える、水を含んだ多孔体の酸素拡散係数測定装置であって、酸素消費量制御手段は、定電流制御（ＣＣ制御）を行う定電流モードと、定電圧制御（ＣＶ制御）を行う定電圧モードと、を有し、酸素濃度検出手段で検出した酸素濃度が所定値以下となったときに、定電流モードから定電圧モードへ切り替え制御される。【選択図】図５
2018071978.tif 000002
【特許請求の範囲】
【請求項１】
酸素濃度を検出する酸素濃度検出手段と、
前記多孔体における酸素を消費させる酸素消費手段と、
前記酸素消費手段の酸素消費量を制御する酸素消費量制御手段と、
を備える、水を含んだ多孔体の酸素拡散係数測定装置であって、
前記酸素消費量制御手段は、定電流制御を行う定電流モードと、定電圧制御を行う定電圧モードと、を有し、
前記酸素濃度検出手段で検出した酸素濃度が所定値以下となったときに、前記定電流モードから前記定電圧モードへ切り替え制御されることを特徴とする、酸素拡散係数測定装置。
【発明の詳細な説明】
【技術分野】
【０００１】
本発明は、酸素拡散係数測定装置に関する。
【背景技術】
【０００２】
多孔体の一方の面が酸素濃度検出手段および酸素消費手段に対向し、他方の面が所定の酸素濃度の気体に接するように配置された状態で酸素消費手段を、所定の酸素消費速度を満たすように酸素消費量制御手段によって制御する装置が知られている（例えば、特許文献１参照）。
【先行技術文献】
【特許文献】
【０００３】
【特許文献１】特開２０１３−０３３０１６号公報
【発明の概要】
【発明が解決しようとする課題】
【０００４】
しかしながら、多孔体の乾燥工程で含水飽和度と酸素拡散係数の関係を求める場合、定電流で行うと酸素濃度が低くなった時にも一定の電流を流そうとするため、消費酸素量と電流の関係が一致しなくなり、測定が安定しない。その理由としては、空気亜鉛電池の電流を一定にするＣＣ（定電流）制御では、酸素濃度が低くなったときにも指定の電流量を流そうとするため、消費酸素量と電流の関係が一致しなくなるとともに、電池が劣化してしまうため安定した測定ができなくなることが挙げられる。ちなみに、空気亜鉛電池での化学反応式は
Ｏ２＋Ｈ２Ｏ＋４ｅ- → ４ＯＨ-
であり、酸素濃度が低いにもかかわらず電流を流すと測定誤差につながる。
【０００５】
そこで、本発明は、安定した測定を行うことができる酸素拡散係数測定装置を提供することを目的とする。
【課題を解決するための手段】
【０００６】
かかる課題を解決するべく、本発明は、
酸素濃度を検出する酸素濃度検出手段と、
前記多孔体における酸素を消費させる酸素消費手段と、
前記酸素消費手段の酸素消費量を制御する酸素消費量制御手段と、
を備える、水を含んだ多孔体の酸素拡散係数測定装置であって、
前記酸素消費量制御手段は、定電流制御を行う定電流モードと、定電圧制御を行う定電圧モードと、を有し、
前記酸素濃度検出手段で検出した酸素濃度が所定値以下となったときに、前記定電流モードから前記定電圧モードへ切り替え制御されることを特徴とする。
【０００７】
酸素消費量制御手段に、定電流制御を行う定電流モードと、定電圧制御を行う定電圧モードと、を設け、酸素濃度が所定値以下となったときに、定電流モードから定電圧モードへ切り替えることで、消費酸素量を抑えることができるため、消費酸素量と電流の関係の不一致を抑制でき、安定した測定を行うことができる。
【発明の効果】
【０００８】
本発明によれば、安定した測定を行うことができる酸素拡散係数測定装置を提供することができる。
【図面の簡単な説明】
【０００９】
【図１】酸素拡散係数測定装置による測定時の手順を示すフローチャートである。
【図２】酸素拡散係数測定装置の概要を示す図である。
【図３】多孔体ホルダの構成例を示す（Ａ）正面図と、（Ｂ）底面図である。
【図４】評価用多孔体アッセンブリを水の入ったビーカーの中に入れた際の様子を示す図である。
【図５】酸素拡散係数測定装置による測定時の手順と各値の変化の例を示すグラフである。
【図６】拡散係数の算出方法の一例である数式を示すものである。
【図７】従前の酸素拡散係数測定装置による測定時の手順と各値の変化の例を参考として示すグラフである。
【発明を実施するための形態】
【００１０】
以下、本発明の構成を図面に示す実施の形態の一例に基づいて詳細に説明する。
【００１１】
まず、酸素拡散係数測定装置１の構成について説明する（図２、図３参照）。
【００１２】
本実施形態の酸素拡散係数測定装置１は、締結装置２、評価用多孔体アッセンブリ５、酸素センサ６、酸素消費型電池７、演算装置８、電流制御装置９を備える。
【００１３】
酸素消費型電池７は例えば空気亜鉛電池であって、電流量によって消費される酸素量が決まる。酸素消費手段の一例であるこの空気亜鉛電池は、電流（電圧）を負荷すると酸素を消費する機構となっている。
【００１４】
締結装置２は、評価用多孔体アッセンブリ５を挟持する挟持体上部３と挟持体下部４を有している。
【００１５】
評価用多孔体アッセンブリ５は、多孔体１０を、多孔体ホルダ上部１１、多孔体ホルダ下部１２によって挟み込み、接着剤１３で固定されている。また、多孔体ホルダ上部１１には、ガス導入用の上部導入孔１４、多孔体ホルダ下部１２には、ガス排出用の下部排出孔１５が設けられている。
【００１６】
続いて、酸素拡散係数測定装置１による測定時の処理例を説明する（図１、図４、図５参照）。
【００１７】
評価用多孔体アッセンブリ５を水の入ったビーカーの中に入れ（図４参照）、真空チャンバーの中で、多孔体内に液水を含浸させる。次に、液水を含浸させた評価用多孔体アッセンブリ５を、締結装置２の挟持体上部３と挟持体下部４との間に設置して締結する。その状態で、図１のフローチャートに示す処理の流れに従い、酸素拡散係数の計測を実行する。
【００１８】
すなわち、この処理例では、測定開始時は一定電流消費モード（ＣＣモード）にて酸素消費手段（酸素消費型電池７）を制御し（ステップＳＰ１）、酸素濃度Ｃ(Ｏ2)を計測する（ステップＳＰ２）。計測の結果、酸素消費電流が０（Ｃ(Ｏ2)＝０）になった時点で（ステップＳＰ３にてＹｅｓ）、一定電圧制御モード（ＣＶモード）に切り替えて作動させ（ステップＳＰ４）、酸素濃度Ｃ(Ｏ2)と電流量Ｉを計測し（ステップＳＰ５）、酸素拡散係数Ｄの算出を行う（ステップＳＰ６）。その後、酸素濃度検出手段による酸素濃度検出値が最大値（あるいは一定値）に安定するまで制御を継続し（ステップＳＰ７）、終了する。
【００１９】
なお、ステップＳＰ６では、例えば図６に示す公知の方法（式）に基づいて拡散係数Ｄを求めることができる。
【００２０】
上述のごとき計測処理によれば、初期状態にて一定電流消費モード（ＣＣモード）にて酸素消費することで、初期の酸素濃度測定空間内に残っている酸素を消費し、初期誤差を除去することができる（図５参照）。
【００２１】
また、その後の一定電圧消費モード（ＣＶモード）にて酸素消費することで、酸素測定空間の酸素濃度が低いときには消費酸素量を少量に抑え、安定した計測を実行することが可能となる（図５参照）。一方、酸素測定空間の酸素濃度が高くなったときには、消費酸素量が大きくなり、外部と酸素測定空間との間の酸素濃度差をできるだけ大きくすることができ、酸素濃度計測の精度が向上する。
【００２２】
ここまで説明したように、本実施形態の酸素拡散係数測定装置１によれば、従来は一定電流制御（ＣＣモード）のみであったところ、一定電流制御に一定電圧制御（ＣＶモード）を併せた処理制御を行っていることから以下のごとき利点がある。
【００２３】
・まず測定初期段階ではＣＣ制御で酸素消費をすることで酸素濃度測定空間の内に残っている酸素を消費することで初期誤差を除去することができる。
【００２４】
・次に、酸素濃度が０になった段階でＣＶモードに切り替える。ＣＣモードのままでは酸素濃度が０にもかかわらず電流を引くため、消費酸素量と電流の関係が一致しなくなるとともに電池が劣化するため安定した測定ができなくなるのに対して、ＣＶモードでは酸素濃度が低いときには消費酸素量を少量に抑えるため、安定した測定が可能となる。
【００２５】
・また、酸素濃度が高いときには消費酸素量が大きくなり大気と酸素測定空間との間の酸素濃度差をできるだけ大きくすることができ酸素濃度計測の精度が安定する。
【００２６】
なお、上述の実施形態は本発明の好適な実施の一例ではあるがこれに限定されるものではなく本発明の要旨を逸脱しない範囲において種々変形実施可能である。例えば、上述した実施形態では、酸素消費電流が０（Ｃ(Ｏ2)＝０）になったかどうかによって消費モードの切り替えの判別をしたが、酸素消費型電池７の電流量を用いて判別してもよい。
【００２７】
また、上述の実施形態では、酸素濃度検出手段による酸素濃度検出値が最大値で安定したかどうかで処理終了の判定をしたが、酸素消費型電池７の電圧値を読み取って判定してもよい。
【産業上の利用可能性】
【００２８】
本発明は、水を含んだ多孔体の酸素拡散係数測定装置に適用して好適である。
【符号の説明】
【００２９】
１…酸素拡散係数測定装置
２…締結装置
３…挟持体上部
４…挟持体下部
５…評価用多孔体アッセンブリ
６…酸素センサ
７…酸素消費型電池（酸素消費手段）
８…演算装置
９…電流制御装置
１０…多孔体
１１…多孔体ホルダ上部
１２…多孔体ホルダ下部
１３…接着剤
１４…上部導入孔
１５…下部排出孔
【図１】
2018071978.tif 000003
【図２】
2018071978.tif 000004
【図３】
2018071978.tif 000005
【図４】
2018071978.tif 000006
【図５】
2018071978.tif 000007
【図６】
2018071978.tif 000008
【図７】
2018071978.tif 000009